(57)【要約】【課題】  特に、高所での紫外線照射灯の取り扱い作業において、その作業性が悪くなることから発生する危険性や取り扱い性が悪くなる、被照射対象物の品質が低下する、などの課題を解決する。【解決手段】  本考案は、携帯用紫外線照射灯において、紫外線照射ランプハウジング（１）に紫外線漏れ防止と一定の被照射対象物との距離保持用に樹脂又はゴム製カバー（２）を設け、且つ該紫外線照射口側の反対側に設けた該紫外線照射灯保持用グリップ（３）を握った手指で容易に操作可能な該紫外線照射灯電源のプッシュスイッチ（４）、更に、必要に応じ時間設定が可能で紫外線照射時間を制御出来るデジタルタイマー（５）及び、当灯の作業者に音又は光で知らせる素子（６）を備えることにより、改善した安全性と操作性、高い品質の被紫外線照射対象物を与える。【選択図】図１
0003137117.tif 000002
【実用新案登録請求の範囲】
【請求項１】
携帯用紫外線照射灯において、その紫外線照射口側のランプハウジング（１）の周りに紫外線漏れ防止と紫外線照射対象物と該灯の紫外線光源と間の距離を調整する樹脂又はゴム製カバー（２）を設け、且つ該紫外線照射口側の反対側に設けた該紫外線照射灯保持用グリップ（３）を握った手指で操作可能な距離に該紫外線照射灯電源のプッシュスイッチ（４）及び、または必要に応じ時間設定が可能で所定の時間中又は時間経過後に電子信号を発生出来るデジタルタイマー（５）、該信号で音又は光を発生する素子（６）、該デジタルタイマー（５）の電子信号を受けて該素子（６）を制御する電子回路及び該タイマー（５）と該素子（６）と該電子回路向け電源スイッチ（７）を設けたことを特徴とする携帯用紫外線照射灯。
【考案の詳細な説明】
【技術分野】
【０００１】  本考案は、携帯用紫外線照射灯において、改善された安全性、操作性、紫外線照射対象物を与える携帯用紫外線照射灯に関するものである。
【背景技術】
【０００２】  携帯用紫外線照射灯において、目に危険な紫外線を遮蔽するカバーに金属製が使用されているため、該灯から紫外線を照射する被対象物への衝突による被対象物の破壊、照射距離の保持操作が難しい、などの問題が発生している。更に、携帯用紫外線照射装置の電源は重量があるために、手で持って操作する紫外線照射灯と電源部とを分離するが、その紫外線照射灯用の電源スイッチがその電源部にあるため、作業中に電源をオンオフする場合、分離した電源部で操作しなければならない、など、操作性が悪い問題がある。更に、精確な紫外線照射時間を制御する機能を有していないため、品質の高い紫外線照射対象物が得られてない問題も存在している。
【考案の開示】
【考案が解決しようとする課題】
【０００３】  紫外線照射灯の取り扱いは、紫外線が非常に危険なため、注意が必要である。特に、高所での作業において、その作業性が悪くなることから発生する危険性や取り扱い性が悪くなる、被照射対象物の品質が低下する、などの課題を解決する。
【課題を解決するための手段】
【０００４】  以下、図面を用いて本考案の実施の形態を説明する。図１と図２で示す携帯用紫外線照射灯において、その紫外線照射口側のランプハウジング（１）の周りに紫外線漏れ防止と紫外線照射対象物と該灯の紫外線光源と間の距離を調整する樹脂又はゴム製カバー（２）を設けることにより、紫外線による危険性を防止すると共に、紫外線照射対象物への紫外線の照射強度と照射量を一定に保つことが容易に出来るようになるため、質の高い紫外線照射対象物を与えるばかりでなく、このカバー（２）が紫外線照射前に紫外線照射対象物に接触しても、このカバー（２）が樹脂又はゴム製なので、大きな損傷を与えない。【０００５】  更に、該紫外線照射口側と反対側に設けた該紫外線照射灯保持用グリップ（３）を握った手の一部の指で操作可能な距離に該紫外線照射灯電源のプッシュスイッチ（４）を設けることで、容易に電源操作が可能となる。更に、必要に応じて、所定の時間中又は時間経過後を音又は光で該携帯用紫外線照射灯の使用者に知らせるデジタルタイマー（５）、その電源スイッチ（７）及び該音又は光を発生する素子（６）をランプハウジング（１）の表面に設けることにより、紫外線照射時間の制御が精確に行うことが出来、より質の高い紫外線照射対象物を得ることが可能になる。
【考案の効果】
【０００６】  このように、本考案の紫外線照射灯は、その操作が非常に容易であり、紫外線を安全に且つ精確に照射することが出来、高品質の紫外線照射対象物を与える。
【考案を実施するための最良の形態】
【０００７】  該樹脂又はゴム製カバー（２）は、十分柔軟で紫外線を透過させない樹脂又はゴムであれば、何ら制限されない。該カバー（２）の長さは、被紫外線照射対象物への照射条件に依存するので、その照射条件に合う様に調整して決められるため、本考案では何ら制限されるものでは無い。また、該カバー（２）を紫外線照射口側のランプハウジング（１）の周り全面に設けることが出来る。該カバー（２）は、紫外線の漏れを防ぐ安全性のために全面に設けることが好ましいが、被紫外線照射対象物が非平面にある場合などで、全面に設けた該カバー（２）が照射操作の障害になる様な場合があるので、本考案では、該カバー（２）を必ずしも全面に設けることに限定されない。【０００８】  更に、プッシュスイッチ（４）を設置する位置も、グリップ（３）を握った手の指で容易に操作することが出来る位置であれば、本考案では何ら制限は無い。【０００９】  本考案で、必要に応じて使用するデジタルタイマー（５）は任意に時間調整が可能なもので、その設置場所はランプハウジング（１）上である限り何ら制限は無いが、該デジタルタイマーの電源スイッチ（７）は、グリップを握る手の指で操作出来る範囲に設置することが好ましい。更に所定の時間経過を該携帯用紫外線照射灯の作業者に知らせる音又は光を発生させる素子（６）を設置するところは、該ランプハウジング（１）の表面である限り何ら制限はないが、該携帯用紫外線照射灯の作業者が紫外線の照射作業中に発生される音又は光を聞きやすい又は見易い場所として、グリップ（３）が取り付けられている該ランプハウジング（１）の面の端が好ましい。【００１０】  このタイマー（５）は、該タイマー（５）を駆動する電源スイッチ（７）により稼動可能となり、設定時間中又は時間経過後に電子信号を発生して該電源が切れるものとする。このタイマー（５）の時間調整の範囲は、本考案において何ら制限されるものではないが、一秒から無限まで設定可能なものが好ましい。また、該デジタルタイマー（４）から発生する電子信号で音又は光を発生する素子（５）を動かす電子回路にも、本考案では何ら制限は無く、該ランプハウジング（１）の内部に設けることが出来る。更に、この電子回路は、（ａ）所定の時間中にあることを音又は光を発生させる素子（６）を駆動させながら該携帯用紫外線照射灯の作業者に知らせる方法と、（ｂ）所定の時間経過後に、その終了を音又は光を発生させる素子（６）を所定時間の間、駆動して該携帯用紫外線照射灯の作業者に知らせる方法があるが、本考案では、何ら制限は無い。（ｂ）の場合における駆動時間は、数秒から数十秒が好ましい。【００１１】  更に、該電源スイッチ（７）は、操作がし易すい物であれば、本考案では何ら制限されるものではないが、プッシュスイッチが好ましい。
【実施例】
【００１２】  以下、添付図面に従って本考案の一実施例を説明する。図１と図２で、紫外線照射灯の耐久性アルミ等の適宣素材にて鈑金加工されたランプハウジング（１）、該ランプハウジング（１）の紫外線照射口側の周りに紫外線漏れ防止と紫外線照射対象物と該灯の紫外線光源と間の距離を調整するために設けた樹脂又はゴム製カバー（２）、該紫外線照射口側と反対側に設けた該紫外線照射灯保持用グリップ（３）を握った手の指で操作可能な距離に該紫外線照射灯電源のプッシュスイッチ（４）の設置例を示す。【００１３】  更に、本考案では、必要に応じて紫外線照射時間を調整するデジタルタイマー（５）を該ランプハウジング上に設置することが出来るが、該デジタルタイマー（５）、該タイマー関連用電源スイッチ（７）、更に該デジタルタイマー（５）により駆動する光発生素子（６）を設置した実施例を図１及び図２に示した。
【産業上の利用可能性】
【００１４】  当該機器により、高品質な紫外線照射対象物を必要とされる全ての産業。
【図面の簡単な説明】
【００１５】
【図１】本考案の紫外線照射機ランプハウジングの一実施例を示す正面図である。
【図２】本考案の紫外線照射機ランプハウジングの一実施例を示す側面図である。
【符号の説明】
【００１４】１．  紫外線照射灯のランプハウジング
２．  紫外線漏れ防止及び距離調整用樹脂又はゴム製カバー
３．  グリップ
４．  プッシュスイッチ
５．  デジタルタイマー
６．  音又は光を発生する素子
７．  デジタルタイマー関連電源スイッチ
【図１】
0003137117.tif 000003
【図２】
0003137117.tif 000004